(57)【特許請求の範囲】
【請求項１】
被固定部に固定されるブラケットと、
所定の形状に屈曲可能なケーブルガイドの端部に配され、前記ブラケットに保持されるガイド端と、
前記ガイド端のうち前記被固定部に固定された前記ブラケットに保持された状態における上面側に設けられ、外面に曲面が形成された回転部と、
前記回転部の外面から前記ブラケットに保持された状態における略水平方向に突出し、前記ブラケットに形成された溝部に入り込む上側フランジ部と、
を備え、
前記回転部が、前記ブラケットに保持された状態における前記上側フランジ部の上下両側に球面を備え、
前記ブラケットが、前記球面に沿う湾曲面を備えているケーブルガイド装置。
【請求項２】
前記ガイド端が、前記ブラケットに保持された状態で前記ブラケットの下面に当接可能な下側フランジ部を備えている請求項１に記載のケーブルガイド装置。
【請求項３】
請求項１または請求項２に記載のケーブルガイド装置と、
前記ケーブルガイドに挿通された複数の電線と、
を備えているワイヤハーネス。
【発明の詳細な説明】
【技術分野】
【０００１】
本発明は、ケーブルガイド装置及びワイヤハーネスに関する。
【背景技術】
【０００２】
従来、例えば自動車のスライドドア内に装備された電装品に給電するワイヤハーネス等、所定の屈曲動作が繰り返し行われるワイヤハーネスが知られている。例えば下記特許文献１に記載のワイヤハーネスは、電線を包囲して所定の屈曲動作をガイドするケーブルガイドを有し、ケーブルガイドの端部（ガイド端）は、スライドドアに固定されたドア側ブラケット、およびボディに固定されたボディ側ブラケットに回転可能に保持されている。ガイド端の上面には円盤状をなす膨出部が設けられ、下面には、差し込み筒部が突設されている。膨出部は、ブラケットの上部に設けられた支持筒に浅く嵌め込まれ、差し込み筒部は、ブラケットの下部に設けられた差し込み孔に差し込まれる。
【先行技術文献】
【特許文献】
【０００３】
【特許文献１】特開２０１４−４２３６７号公報
【発明の概要】
【発明が解決しようとする課題】
【０００４】
しかしながら、上記のような構成では、ブラケットの下部に、ガイド端の下面側を支持する部分を設ける必要がある。このため、ワイヤハーネスの搭載位置をさらに下げたい場合に、対応することが困難であった。【０００５】
本発明は上記のような事情に基づいて完成されたものであって、ワイヤハーネスの搭載位置を下げることが可能なケーブルガイド装置及びワイヤハーネスを提供することを目的とする。
【課題を解決するための手段】
【０００６】
本発明のケーブルガイド装置は、被固定部に固定されるブラケットと、所定の形状に屈曲可能なケーブルガイドの端部に配され、前記ブラケットに保持されるガイド端と、前記ガイド端のうち前記被固定部に固定された前記ブラケットに保持された状態における上面側に設けられ、外面に曲面が形成された回転部と、前記回転部の外面から前記ブラケットに保持された状態における略水平方向に突出し、前記ブラケットに形成された溝部に入り込む上側フランジ部と、を備え、前記回転部が、前記ブラケットに保持された状態における前記上側フランジ部の上下両側に球面を備え、前記ブラケットが、前記球面に沿う湾曲面を備えているものである。
本発明のワイヤハーネスは、前記ケーブルガイド装置と、前記ケーブルガイドに挿通された複数の電線と、を備えているものである。
【発明の効果】
【０００７】
本発明によれば、ガイド端が回転可能な状態でブラケットに吊り下げられて保持されるから、ブラケットに、ガイド端の下面側を支持する部分を設けなくてもよいので、ワイヤハーネスの搭載位置を下げることができる。
また、本発明のケーブルガイド装置は、回転部が、ブラケットに保持された状態における上側フランジ部の上下両側に球面を備え、ブラケットが、球面に沿う湾曲面を備えている。このような構成によれば、ガイド端は、球面を湾曲面に摺動させて傾動姿勢を取り得るから、回転部とブラケットとの間のクリアランス（ガイド端のがたつき）を小さくすることができる。
【図面の簡単な説明】
【０００８】
【図１】本実施例におけるワイヤハーネスであって、車両に搭載された状態を示す概略図
【図２】ケーブルガイドのガイド端がブラケットに取り付けられている状態を示す斜視図
【図３】ケーブルガイドのガイド端がブラケットに取り付けられている状態を示す側面図
【図４】ケーブルガイドのガイド端がブラケットに取り付けられている状態を示す断面図であって、図３のＡ−Ａ位置における断面に相当する断面図
【図５】保持部が開いた状態のブラケットを示す側面図
【図６】ブラケットを示す底面図
【図７】ケーブルガイドのガイド端を示す斜視図
【図８】ケーブルガイドのガイド端の断面図であって、図７のＢ−Ｂ位置における断面に相当する断面図
【図９】合体前の第１分割体及び第２分割体を示す斜視図
【発明を実施するための形態】
【０００９】
本発明の好ましい形態を以下に示す。
【００１０】
本発明のケーブルガイド装置は、前記ガイド端が、前記ブラケットに保持された状態で前記ブラケットの下面に当接可能な下側フランジ部を備えているものとしてもよい。このような構成によれば、上側フランジ部と下側フランジ部とでブラケットを挟み込むから、ガイド端が過度の傾斜姿勢になって回転動作が阻害されることを防ぐことができる。
【００１１】
＜実施例＞
以下、本発明を具体化した一実施例について、図１〜図９を参照しつつ詳細に説明する。
本実施例におけるワイヤハーネスＷは、スライドドアＤを有する車両に搭載されるものであり、スライドドアＤ内に装備される電装品に常時給電するスライドドア用ワイヤハーネスである。ワイヤハーネスＷは、車両ボディＢとスライドドアＤの下端との間に架設される。ワイヤハーネスＷは、複数本の電線５０と、略水平面内で所定の形状に屈曲可能なケーブルガイド５１とを備えている。以下、各構成部材において、図３の上側（ワイヤハーネスＷが車両に搭載された状態における上側）を上方、下側を下方として説明する。
【００１２】
ケーブルガイド５１は、図１に示すように、複数のリンク体５２を回動可能に連結したものであり、内部に電線５０の束が挿通されている。ケーブルガイド５１のボディＢ側の端部に配されたガイド端５３は、ボディ側ブラケット５４に回動可能に取り付けられ、スライドドアＤ側の端部に配されたガイド端１０は、ドア側ブラケット（以後、単にブラケット４０と称する）に回動可能に取り付けられる。
【００１３】
ブラケット４０は、スライドドアＤの下端（被固定部）に固定されるものであり、ガイド端１０を首吊り状態に支持することが可能な構造を有している。
ブラケット４０は、図２に示すように、ガイド端１０の回転部１２を保持する保持部４１を備えている。保持部４１は、回転部１２の全周を包囲する筒形状をなしている。保持部４１の内周面には、図４に示すように、回転部１２の外面に沿うように湾曲した湾曲面４２が形成されている。湾曲面４２は、保持部４１の全周および全高にわたって連続した球面とされている。
【００１４】
保持部４１には、後述する上側フランジ部１９が入り込み可能な溝部４３が形成されている。溝部４３は、図３に示すように、ブラケット４０をスライドドアＤに固定した状態で略水平に細長く延びるとともに、保持部４１の内外方向（水平方向）に貫通している。溝部４３は、湾曲面４２の上下方向中央部に形成され、保持部４１の全周にわたって連続している。溝部４３の上下方向の寸法は、上側フランジ部１９の厚さ寸法に比して、ガイド端１０の傾動動作を許容する最小限のクリアランスを有する寸法とされている。
【００１５】
保持部４１は、ブラケット４０がスライドドアＤに固定された状態で、縦割りされた半割り構造となっている（図５参照）。保持部４１は、垂直な割り面４４によって２分割された一対の半割り体４５を有している。各半割り体４５に、湾曲面４２および溝部４３が形成されており、半割り体４５が合わさる（割り面４４が密着する）と、湾曲面４２および溝部４３が全周にわたって連続した状態になる。なお、半割り体４５を有する部分同士は、ヒンジ部４６で連結されている。
【００１６】
ブラケット４０は、図４に示すように、保持部４１から下方に垂下した垂下部４７を有している。垂下部４７は、ガイド端１０の側面に対向するように略垂直に垂下している。垂下部４７は、ガイド端１０の回転を許容するように、平面視、鈍角に開いた形状をなしている（図６参照）。垂下部４７には、ガイド端１０の回転に伴って、ガイド端１０の側壁１５または端壁１８が近接したり離間したりする。
【００１７】
ガイド端１０は、図７に示すように、電線５０を包囲してケーブルガイド５１の長手方向に開口する筒状部１１と、筒状部１１の上面に突設されて外面に曲面が形成されている回転部１２とを備えている。
【００１８】
筒状部１１は、断面方形状をなし、上側に配される上壁１３、下側に配される下壁１４、および上壁１３と下壁１４との間に立つ一対の側壁１５を備えている。一対の側壁１５は、上壁１３及び下壁１４に対して略垂直に立っている。また、筒状部１１は、ケーブルガイド５１の長手方向における端に立設された端壁１８を有している。端壁１８は、平面視、円弧形状（半円状）をなして湾曲し、下壁１４に対して略垂直に立っている。
【００１９】
筒状部１１のケーブルガイド５１の長手方向における一端部には、他のリンク体５２との連結部１６が設けられている。連結部１６には、連結孔１７が上壁１３および下壁１４を上下方向に貫通して形成されている。
【００２０】
回転部１２は、図７に示すように、全体として球形状をなし、筒状部１１のうち連結部１６とは反対側の端部の上面に突出している。
回転部１２には、略水平方向に突出する上側フランジ部１９が設けられている。上側フランジ部１９は、回転部１２の上下方向中央部（水平方向の径寸法が最も大きい部位）に突設され、ブラケット４０の溝部４３に入り込み可能とされている。上側フランジ部１９は、回転部１２の全周にわたって、一定の突出寸法を有して連続している。上側フランジ部１９の上下両面は、略水平な面とされている。
【００２１】
回転部１２の外面には、一つの球体の表面からなる球面が形成されている。球面のうち上側フランジ部１９よりも上側の部分は、上方に向かって水平方向の径寸法が次第に小さくなる上側球面２１、上側フランジ部１９よりも下側の部分は、下方に向かって水平方向の径寸法が次第に小さくなる下側球面２２とされている。上側球面２１および下側球面２２は、回転部１２の全周にわたって連続している。上側球面２１および下側球面２２は、上側フランジ部１９を基準に上下対称な形状をなしている。上側球面２１および下側球面２２は、ブラケット４０の湾曲面４２に沿って配される。ガイド端１０は、上側球面２１および下側球面２２が湾曲面４２に沿って相対的に変位することで傾動姿勢をとることができる。
回転部１２の内側には、ケーブルガイド５１の内部に挿通された電線５０を外部に引き出す電線挿通孔２３が形成されている。
【００２２】
ガイド端１０は、図４に示すように、ブラケット４０の下面（垂下部４７の下端面）に近接または当接可能な下側フランジ部２４を備えている。下側フランジ部２４は、図７に示すように、筒状部１１の下端に設けられ、上側フランジ部１９と略平行をなしている。下側フランジ部２４は、連結部１６とは反対側に設けられ、筒状部１１の下面に沿って端壁１８の外側に突出している。下側フランジ部２４は、平面視、端壁１８の形成範囲の全体にわたって連続した円環状をなしている。なお、下側フランジ部２４は、上側フランジ部１９よりも若干厚さ寸法（上下方向の寸法）が大きくされている。
【００２３】
ガイド端１０は、図９に示すように、電線挿通孔２３を周方向に分割する第１分割体２５及び第２分割体２６を有し、第１分割体２５と第２分割体２６とが合体した状態では電線挿通孔２３の全周が閉じ、第１分割体２５と第２分割体２６とが合体していない状態では電線挿通孔２３が開いた状態になる。第１分割体２５と第２分割体２６とは、水平方向に合体するものとされている。
【００２４】
回転部１２は、ケーブルガイド５１の長手方向に２分割され、電線挿通孔２３は、ケーブルガイド５１の長手方向に開くようになっている。回転部１２の分割面２７は略垂直をなしている。
【００２５】
ガイド端１０は、合体された第１分割体２５と第２分割体２６とを離間不能にロックするロック構造２８を有している。ロック構造２８は、ケーブルガイド５１の長手方向（水平方向）に係止可能なロック突起２９とロック片３１とを有している。
【００２６】
第１分割体２５と第２分割体２６とは、水平方向にスライド嵌合して上下方向に係止可能な嵌合構造３２を備えている。嵌合構造３２は、ガイド端１０の両側面に設けられて凹凸嵌合するものであり、スライド方向に長く延びた形状をなしている。
【００２７】
嵌合構造３２は、図８に示すように、第１分割体２５に設けられた第１溝部３３および第１突部３４、第２分割体２６に設けられた第２溝部３５および第２突部３６を備えている。第１突部３４は第２溝部３５に嵌合し、第２突部３６は第１溝部３３に嵌合するものとされている。
【００２８】
次に、本実施例におけるワイヤハーネスＷの組み立て作業および車両への取り付け作業の一例を説明する。
まず、電線５０の端部に図示しないコネクタを接続する。電線５０の端末部に端子金具を圧着し、端子金具をコネクタに挿入する。
【００２９】
次に、ケーブルガイド５１にガイド端１０を取り付ける。ケーブルガイド５１のリンク体５２から引き出されている電線５０の束を、図９に示すように、第１分割体２５に沿わせた状態にし、第２分割体２６をスライドさせて第１分割体２５に合体させる。この際、コネクタは、回転部１２よりも上側に出しておく。嵌合構造３２によって、第１分割体２５と第２分割体２６とのスライド動作（合体動作）が円滑に案内され、やがて、回転部１２の分割面２７が密着し、電線５０の束が電線挿通孔２３に貫通した状態になる。また、ロック片３１がロック突起２９を乗り越えて弾性復帰し、ロック片３１とロック突起２９とが係止状態になる。こうして第１分割体２５と第２分割体２６とが合体された状態のガイド端１０をリンク体５２に連結することにより、ケーブルガイド５１の組み立てが完了する。
【００３０】
次に、ガイド端１０をブラケット４０に保持させる。ブラケット４０の保持部４１を開いた状態にして、ガイド端１０の上側フランジ部１９をブラケット４０の一方の半割り体４５の溝部４３に入れ込み、他方の半割り体４５を閉じる。上側フランジ部１９は、全周にわたって溝部４３に入り込んだ状態になる。これにより、回転部１２は、下方に抜け止めされた状態で保持部４１に保持され、ガイド端１０は首吊り状態で固定される。また、回転部１２の上側球面２１および下側球面２２は、保持部４１の湾曲面４２に近接した状態になる。これにより、ガイド端１０は、上側球面２１および下側球面２２を湾曲面４２に摺動させ、溝部４３のクリアランスによって傾動姿勢をとり得る。
以上により、ワイヤハーネスＷの組み立て作業および車両への取り付け作業が完了する。
【００３１】
次に、上記のように構成された実施例の作用および効果について説明する。
本実施例におけるワイヤハーネスＷは、スライドドアＤに固定されるブラケット４０と、所定の形状に屈曲可能なケーブルガイド５１の端部に配され、ブラケット４０に保持されるガイド端１０とを備えている。ガイド端１０の上面側には、外面に球面２１，２２が形成された回転部１２が設けられ、回転部１２には、略水平方向に突出してブラケット４０に形成された溝部４３に入り込む上側フランジ部１９が設けられている。この構成によれば、ガイド端１０が回転可能な状態でブラケット４０に吊り下げられて保持されるから、ブラケット４０に、ガイド端１０の下面側を支持する部分を設けなくてもよいので、ワイヤハーネスＷの搭載位置を下げることができる。
【００３２】
また、回転部１２が、上側フランジ部１９の上下両側に上側球面２１および下側球面２２を備え、ブラケット４０が、球面２１，２２に沿う湾曲面４２を備えている。この構成によれば、ガイド端１０は、球面２１，２２を湾曲面４２に摺動させて傾動姿勢をとり得るから、回転部１２とブラケット４０との間のクリアランスを小さくすることができる。よって、ガイド端１０の保持部４１に対するガタつきが抑制され、大きな異音が発生することを防ぐことができる。
【００３３】
また、ガイド端１０が、ブラケット４０の下面に当接可能な下側フランジ部２４を備えている。この構成によれば、上側フランジ部１９と下側フランジ部２４とでブラケット４０を挟み込むから、ガイド端１０が過度の傾斜姿勢になって回転動作が阻害されることを防ぐことができる。
【００３４】
＜他の実施例＞
本発明は上記記述及び図面によって説明した実施例に限定されるものではなく、例えば次のような実施例も本発明の技術的範囲に含まれる。
（１）上記実施例では、本発明をスライドドアＤ側のガイド端１０に適用した場合について説明したが、本発明はボディ側のガイド端に適用してもよい。
（２）上記実施例では、本発明をスライドドア用のワイヤハーネスＷに適用した場合について説明したが、本発明は所定の形状に屈曲可能なケーブルガイドを備えた各種のワイヤハーネス（例えばスライドシートに接続するワイヤハーネス等）に適用してもよい。
（３）上記実施例では、上側フランジ部１９の上下両側に球面２１，２２が形成されているが、これに限らず、例えば下側球面のみを備えるものとしてもよい。
（４）上記実施例では、回転部１２の外面が球面２１，２２とされているが、これに限らず、例えば、回転部の外面は、円柱部材の周面からなる曲面であってもよい。
（５）上記実施例では、ガイド端１０が、下側フランジ部２４を備えているが、必ずしも下側フランジ部を備えなくても良い。
（６）上記実施例では、ガイド端１０が電線挿通孔２３を周方向に分割する第１分割体２５及び第２分割体２６を有しているが、これに限らず、ガイド端を、例えば上側（回転部側）と下側（下壁側）とに分割してもよい。
（７）上記実施例では、上側球面２１および下側球面２２が、上側フランジ部１９を基準に上下対称な形状をなしているが、これに限らず、例えば一方の球面を他方の球面に比して小さくする等してもよい。
【符号の説明】
【００３５】
Ｄ…スライドドア（被固定部）
Ｗ…ワイヤハーネス
１０…ガイド端
１２…回転部
１９…上側フランジ部
２１…上側球面（曲面）
２２…下側球面（曲面）
２４…下側フランジ部
４０…ブラケット
４２…湾曲面
４３…溝部
５０…電線
５１…ケーブルガイド
【図１】
0006594541.tif 000002
【図２】
0006594541.tif 000003
【図３】
0006594541.tif 000004
【図４】
0006594541.tif 000005
【図５】
0006594541.tif 000006
【図６】
0006594541.tif 000007
【図７】
0006594541.tif 000008
【図８】
0006594541.tif 000009
【図９】
0006594541.tif 000010